(57)【要約】【課題】焦点調節と視度調節とを容易に行うことができるとともに、組立時の作業を効率良く行うことができる双眼鏡を提供すること。【解決手段】一対の接眼光学系と対物光学系との間に設けられる調節レンズを光軸に沿って前後進可能に支持する一対の支持体と、前記一対の支持体を光軸方向に同時に前後進させて焦点調節を行う焦点調節手段と、一方の支持体を、他方の支持体を不動状態にしたまま、光軸方向に前後進させて視度調節を行う視度調節手段と、前記焦点調節手段と視度調節手段とを切り替える切替手段とを有する焦点視度調節ユニットを備えてなることを特徴とする双眼鏡である。【選択図】          図２
2006053381.tif 000002
【特許請求の範囲】
【請求項１】
一対の接眼光学系と対物光学系との間に設けられる調節レンズを光軸に沿って前後進可能に支持する一対の支持体と、
前記一対の支持体を光軸方向に同時に前後進させて焦点調節を行う焦点調節手段と、
一方の支持体を、他方の支持体を不動状態にしたまま、光軸方向に前後進させて視度調節を行う視度調節手段と、
前記焦点調節手段と視度調節手段とを切り替える切替手段とを有する焦点視度調節ユニットを備えてなることを特徴とする双眼鏡。
【請求項２】
前記焦点調節手段が、固定中心軸体に回転可能に装着され、外周に雄ネジを有する太径部と外周に雄ネジを有する細径部とを有し、調節レンズを支持する一方の支持体を回動不能に前記太径部で支持するリード環と、
前記リード環と螺合により結合され、回転により前記リード環を前後進させる第１回転体とを備え、
前記視度調節手段が、前記リード環に回転可能に支持され、他方の調節レンズを支持する他方の支持体を支持する小リード環を備え、
前記切替手段が、固定中心軸体の軸線に沿って一方向に移動すると、前記小リード環に回転運動伝達不能状態下に前記第１回転体に回転運動を伝達可能にし、前記軸線方向に沿って逆方向に移動すると前記第１回転体の回転運動伝達不能状態下に前記小リード環に回転運動を伝達可能とする第２回転体を備えて成る
前記請求項１に記載の双眼鏡。
【発明の詳細な説明】
【技術分野】
【０００１】
この発明は、双眼鏡に関し、特に詳しくは、焦点調節と視度調節とを容易に行うことができるとともに、組立時の作業を効率良く行うことができる双眼鏡に関する。
【背景技術】
【０００２】
従来から、双眼鏡等の光学機器において、焦点調節と視度調節とを容易に行うことができる構造が要望されている。
【０００３】
焦点調節と視度調節とを容易に行うことができる双眼鏡としては、例えば、「双眼鏡であって、眼間の距離を調節するために前記双眼鏡の二つの管部材（１、１'）が関節のある二つの橋部（２、３）によって接続され、前記二つの橋部は、関節軸線（４）回りに旋回し、貫通部（６）を形成するために中央軸による接続部なしで所定距離離間して配置され、前記二つの管部材（１、１'）は、焦点合わせのための軸方向に移動可能な焦点合わせ手段（８）を有し、前記焦点合わせ手段は、共通の回転ノブ（１２）及び歯車によって操作され、前記歯車は、前記回転ノブ（１２）から前記焦点合わせ手段（８）へ前記関節のある橋部（２又は３）の一つを通って延び、眼間の距離の調節は焦点には影響を及ぼさないように形成されることを特徴とする双眼鏡。」が提案されている（特許文献１参照）。
【０００４】
【特許文献１】特開２０００−５６２３７号公報（請求項１）
【０００５】
ここで、前述の特許文献１に記載の発明においては、「双眼鏡の焦点合わせのために、挿入された位置において回転ノブを回転させる。回転ノブの回転は、回転ノブ軸から直接的に摩擦ディスク及び突出部へ伝達される。突出部は摩擦ディスクをはすば歯車ヘ係合させる。回転ノブの回転は、はすば歯車によって止め部の軸方向の移動に変換され、フォークが付与された端部によって、角度レバーは、焦点合わせ手段を軸線方向に移動させる。管部材が軸線回りに旋回せしめられる時に、ノブの回転を焦点合わせ手段の軸方向の移動に変換する歯車の作用なしで、角度レバーは端部で円錐形状止め部上を摺動するので、眼間の距離の調節とは独立してこの発明の双眼鏡において焦点合わせがなされる。」（特許文献１  段落番号[００３０]、[００３１]参照）と記載されているような焦点調節が行われる。
【０００６】
また、前述の特許文献１に記載の発明においては、視度調節を行う際には、角度レバーを半径方向に移動させると、関節軸線を中心として、回転ノブが回動する。回動した回転ノブは、結果として、固定された焦点合わせ手段を軸線方向に移動させている。
【０００７】
上記したように、特許文献１に記載の発明においては、視度調節を行う際には、焦点合わせ手段を軸線方向に移動させる移動量を調節するため、角度レバーと支持部との位置調整、および連結器と関節軸線との位置調整など、複数箇所の調整をする必要がある。したがって、特許文献１に記載の発明においては、双眼鏡全体を組み立てる際に、上記各部材の位置調整も行う必要があり、組立時の作業を効率良くできないという問題点がある。
【発明の開示】
【発明が解決しようとする課題】
【０００８】
この発明は、このような従来の問題点を解消し、焦点調節と視度調節とを容易に行うことができるとともに、組立時の作業を効率良く行うことができる双眼鏡を提供することをその課題とする。
【課題を解決するための手段】
【０００９】
前記課題を解決するための手段として、
請求項１は、
一対の接眼光学系と対物光学系との間に設けられる調節レンズを光軸に沿って前後進可能に支持する一対の支持体と、
前記一対の支持体を光軸方向に同時に前後進させて焦点調節を行う焦点調節手段と、
一方の支持体を、他方の支持体を不動状態にしたまま、光軸方向に前後進させて視度調節を行う視度調節手段と、
前記焦点調節手段と視度調節手段とを切り替える切替手段とを有する焦点視度調節ユニットを備えてなることを特徴とする双眼鏡であり、
請求項２は、
前記焦点調節手段が、固定中心軸体に回転可能に装着され、外周に雄ネジを有する太径部と外周に雄ネジを有する細径部とを有し、調節レンズを支持する一方の支持体を回動不能に前記太径部で支持するリード環と、
前記リード環と螺合により結合され、回転により前記リード環を前後進させる第１回転体とを備え、
前記視度調節手段が、前記リード環に回転可能に支持され、他方の調節レンズを支持する他方の支持体を支持する小リード環を備え、
前記切替手段が、固定中心軸体の軸線に沿って一方向に移動すると、前記小リード環に回転運動伝達不能状態下に前記第１回転体に回転運動を伝達可能にし、前記軸線方向に沿って逆方向に移動すると前記第１回転体の回転運動伝達不能状態下に前記小リード環に回転運動を伝達可能とする第２回転体を備えて成る
前記請求項１に記載の双眼鏡である。
【発明の効果】
【００１０】
請求項１に係る発明によると、切替手段を操作して焦点調節手段に切り替えると、一対の支持体を光軸方向に同時に前後進させることにより焦点調節を行うことができ、切替手段を操作して視度調節手段に切り替えると、一対の支持体のうち一方の支持体を、他方の支持体を不動状態にしたまま、光軸方向に前後進させることにより視度調節をすることのできる焦点視度調節ユニットを備えた双眼鏡を提供することができる。この焦点視度調節ユニットは文字通りユニット化されているので、双眼鏡自体の組み立てを効率良く容易に行うことができる。また、請求項１に係る発明の双眼鏡は、切替手段によって、前記焦点調節手段と視度調節手段とをワンタッチで切り替えるので、焦点調節と視度調節とを容易に行うことができる。しかも、請求項１に係る発明によると、焦点視度調節ユニットを双眼鏡における本体中央部に配置することができ、そうすると、双眼鏡を確固として保持しつつ焦点調整をすることができるのでブレが少なくて安定した像を観察することができる。
【００１１】
請求項２に係る発明によると、切替手段における第２回転体を固定中心軸体の軸線に沿ってスライド操作することにより焦点調節手段に切り替えて第２回転体を回転させると第１回転体が回転し、第１回転体が回転すると、リード環は調節レンズを支持する一方の支持体を回動不能に太径部で支持しているので、リード環自体が回転せず、しかしてリード環は第１回転体と螺合しているから、リード環が前進又は後進し、リード環に小リード環が回転可能に結合されているがリード環が回転しないで前進又は後進するので小リード環自体も回転しないでリード環と共に前進又は後進し、その結果、リード環に支持された一方の支持体と小リード環に支持された他方の支持体とが同じ距離だけ前進又は後進し、一対の支持体が前進又は後進することにより、支持体に支持された調節レンズの移動による焦点調節が行われる。また、第２回転体を固定中心軸体の軸線に沿ってスライド操作することにより視度調節手段に切替えて第２回転体を回転させると、第１回転体には第２回転体の回転が伝達されないので第１回転体は回転せず、したがって、リード環に支持された支持体は前進又は後進せずにその位置を留め、第２回転体の回転が小リード環に伝達されるので、小リード環がリード環の細径部に対して回転することにより小リード環がリード環に対して前進又は後進し、これによって小リード環に支持された他方の支持体が前進又は後進し、結果として、視度調節が行われる。かくして、請求項２に係る発明によると、焦点調節及び視度調節を容易に行うことのできる双眼鏡を提供することができる。この焦点視度調節ユニットは文字通りユニット化されているので、双眼鏡自体の組み立てを効率良く容易に行うことができる。また、請求項２に係る発明の双眼鏡は、切替手段によって、前記焦点調節手段と視度調節手段とをワンタッチで切り替えるので、焦点調節と視度調節とを容易に行うことができる。しかも、請求項２に係る発明によると、焦点視度調節ユニットを双眼鏡における本体中央部に配置することができ、そうすると、双眼鏡を確固と保持しつつ焦点調整をすることができるのでブレが少なくて安定した像を観察することができる。
【発明を実施するための最良の形態】
【００１２】
図１は、この発明の一例としての双眼鏡の全体を示す平面図を示している。双眼鏡１は、双眼鏡筐体２と、接眼光学系３と、対物光学系４と、焦点視度調節ユニット５と、調節レンズ６とを備えてなる。
【００１３】
双眼鏡筐体２は、一対の鏡筒２Ａを有する。接眼光学系３および対物光学系４は、一対の鏡筒２Ａ内に設けられている。また、接眼光学系３および対物光学系４は、１つ以上の光学レンズにより構成されている。なお、本明細書において、接眼光学系３側を上側と称し、対物光学系４側を下側と称する場合がある。
【００１４】
調節レンズ６は、一対の接眼光学系３と対物光学系４との間に設けられている。レンズ６は、光学レンズより構成されている。
【００１５】
焦点視度調節ユニット５は、一対の支持体７と、焦点調節手段８と、視度調節手段９と、切替手段１０とを備えてなる。
【００１６】
図１に示されるように、一対の支持体７は、調節レンズ６を支持乃至保持する。図２に示されるように、これら一対の支持体７は、調節レンズ６を支持することでは同一であるが、一方の支持体７Ａは視度調節と焦点調節とのいずれかを行うために調節レンズ６を支持し、他方の支持体７Ｂは、焦点調節を行うために調節レンズ６を支持する。
【００１７】
いずれの支持体７においても、これら一対の支持体７（７Ａ、７Ｂ）は、光軸直交方向に調節レンズ６を保持するように配置された、前記調節レンズ６を固定する固定部１５と、前記固定部１５に結合されるとともに光軸方向に延在する結合ピン１４と、この結合ピン１４に結合されるとともに後述するリード環２３に直接に又は間接に関係付けられる右支持腕１３又は左支持腕１２とを備えて成る。本実施形態においては、一対の支持体７のうち、一方の支持体７Ａは、図２中右側に配置され、他方の支持体７Ｂは、図２中左側に配置されている。
【００１８】
図２に示されるように、一方の支持体７Ａは、右支持腕１３と、結合ピン１４と、固定部１５とを備えてなる。
【００１９】
右支持腕１３は、略コ字形状の棒状部材である。右支持腕１３は、短手側軸体の先端に形成された略円筒形状の軸支持部１３Ａと、長手側軸体の先端に形成された第２係合部１３Ｂとを有する。第２係合部１３Ｂは、先端部が軸方向に直交する方向に向かって扇形状を半円切り欠いた形状を有している。この第２係合部１３Ｂは、後述するように小リード環２２に、係合する。
【００２０】
結合ピン１４の先端には、雄ネジ１４Ａが形成されている。結合ピン１４の基端には、結合部１４Ｂが形成されている。結合部１４Ｂは、右支持腕１３における軸支持部１３Ａと接合することにより、右支持腕１３と結合ピン１４とが一体に結合される。
【００２１】
固定部１５は、円柱部１５Ａと、円柱部１５Ａに直交するように延在形成された接続部１５Ｂとを有する。円柱部１５Ａは、雄ネジ１４Ａと螺合することにより結合ピン１４と結合し、接続部１５Ｂには調節レンズ６が取り付けられる。
【００２２】
他方の支持体７Ｂは、左支持腕１２と、結合ピン１４と、固定部１５とを備えてなる。
【００２３】
左支持腕１２は、略コ字形状の棒状部材である。左支持腕１２は、短手側軸体の先端に形成された略円筒形状の軸支持部１２Ａと、長手側軸体先端に形成された第１係合部１２Ｂとを有する。第１係合部１２Ｂは、先端部が光軸方向に二股に分かれている。この第１係合部１２Ｂは、後述するようにリード環２３に接続される。
【００２４】
左支持腕１２は、右支持腕１３と同様にして調節レンズ６を保持する。すなわち、結合ピン１４の先端には、雄ネジ１４Ａが形成されている。結合ピン１４の基端には、結合部１４Ｂが形成されている。結合部１４Ｂは、左支持腕１２における軸支持部１２Ａと接合することにより、左支持腕１２と結合ピン１４とが一体に結合される。固定部１５は、円柱部１５Ａと、円柱部１５Ａに直交するように延在形成された接続部１５Ｂとを有する。円柱部１５Ａは、雄ネジ１４Ａと螺合することにより結合ピン１４と結合し、接続部１５Ｂには調節レンズ６が取り付けられる。
【００２５】
図１に示されるように、焦点調節手段８は、前記一対の支持体７を光軸方向に並進移動、換言すると同時に前進又は後進させて焦点調節を行う。
【００２６】
図１に示されるように、視度調節手段９は、一方の支持体７Ａを、他方の支持体７Ｂを不動状態のまま、光軸方向に前後進させて視度調節を行う。
【００２７】
図１に示されるように、切替手段１０は、前記焦点調節手段８と前記視度調節手段９とを切り替える。
【００２８】
図２に示されるように、焦点視度調節ユニット５は、前記一対の支持体７Ａ，７Ｂと共に、固定中心軸体１１と、視度目盛環１６と、転輪固定台１７と、転輪外枠１８と、視度操作環状筒体１９と、回転止め環体２０と、転輪ワッシャ−２１と、小リード環２２と、リード環２３と、転輪パイプ２４と、転輪２５と、転輪固定座金２６と、転輪固定環２７と、転輪結合環２８と、転輪カバー２９と、転輪操作環３０とを備えてなる。なお、この実施例においては前記転輪外枠１８がこの発明における第２回転体に相当し、前記転輪２５がこの発明における第１回転体に相当する。
【００２９】
固定中心軸体１１は、その先端に形成された雄ネジ１１Ａを転輪固定環２７の中心ネジ穴２７Ａの内周面に形成された雌ネジ２７Ｂに螺着することにより、固定中心軸体１１に転輪固定環２７を一体に結合する。この固定中心軸体１１の他端には太径胴部１１Ｂが形成されていて、この太径胴部１１Ｂと前記転輪固定環２７との間に、転輪２５、転輪パイプ２４、リード環２３、小リード環２２、転輪ワッシャ−２１、回転止め環体２０、視度操作環状筒体１９、及び転輪固定台１７が装着される。
【００３０】
転輪固定環２７は、円盤体に形成され、その周側面には、たとえば9０度の中心角となるように配設された周側面開設孔２７Ｃに内装されたコイルバネ２７Ｄにより突出方向に付勢された硬球２７Ｅが、装着される。
【００３１】
なお、図２において、２６で示すのは、転輪固定座金である。この転輪固定座金２６の中心には、中心孔２６Ａが形成され、固定中心軸体１１が挿通される。
【００３２】
図２及び図３に示されるように、転輪２５は、固定中心軸体１１を挿通する中心孔２５Ｄを中心に開口する底部２５Ａとその底部２５Ａの周縁から筒状に立ち上がり、上方に開口する開口部２５Ｃを有する筒体部２５Ｂとを備えた有底筒体に形成され、その底部２５Ａの外側面には櫛歯２５Ｅが環状に形成されている。この転輪２５における筒体部２５Ｂの周面には雌ネジ２５Ｇが形成される。
【００３３】
転輪パイプ２４は、管状部２４Ａと、その管状部２４Ａの一端に設けられた鍔部２４Ｂとを有してなり、前記底部２５Ａの内側底面に前記鍔部２４Ｂが当接するように、前記固定中心軸体１１を内装する。
【００３４】
この転輪パイプ２４には、リード環２３が外装される。このリード環２３は、環状部２３Ａと中心管体２３Ｂとを有する。なお、この実施例においては、前記環状部２３Ａがこの発明における太径部に相当し、前記中心管体２３Ｂがこの発明における細径部に相当する。
【００３５】
この中心管体２３Ｂにおける中心孔２３Ｇに転輪パイプ２４が挿入されることにより、転輪パイプ２４にリード環２３が装着される。環状部２３Ａは、前記中心管体２３Ｂの一端に形成された円盤状の円盤状鍔部２３Ｃと、この円盤状鍔部２３Ｃの外縁に形成された、このリード環２３の中心軸を軸線とする筒状体２３Ｄとを有する。前記中心管体２３Ｂの外周面には、雄ネジ２３Ｈが形成される。前記円盤状鍔部２３Ｃには、第１係合部１２Ｂを挿入する挿入孔部２３Ｅが開設され、前記筒状体２３Ｄの外周には、前記雌ネジ２５Ｇと歯合する雄ネジ２３Ｆが形成される。
【００３６】
小リード環２２は、内周に雌ネジ２２Ｂを形成してなる中心軸孔２２Ａを備えるとともに、外周に上部鍔と下部鍔とで挟まれて成る係合溝２２Ｃを有し、前記上部鍔の外周に係合凸部２２Ｄを備えて成る。このリード環２３は、前記雄ネジ２３Ｈと雌ネジ２２Ｂとを螺合することにより、リード環２３は中心管体２３Ｂに、回転可能に装着される。係合溝２２Ｃに第２係合部１３Ｂを挿入することにより、右支持腕１３が係合される。
【００３７】
転輪パイプ２４に挿通された小リード環２２の上端には、転輪ワッシャ−２１を介して回転止め環体２０が転輪パイプ２４に挿通された状態で、配置される。
【００３８】
回転止め環体２０は、中心孔２０Ａを有する略円盤状の形状を有するとともに、前記中心孔２０Ａ近傍に互いに９０度の中心角をなすように位置付けられた中央凸部２０Ｂを上端面に突出形成し、円盤の周辺を切り欠いてなる扇形切欠部２０Ｃと四角切欠部２０Ｄとを有して成る。前記四角切欠部２０Ｄには、左支持腕１２における長手側軸体が挿入され、前記扇形切欠部２０Ｃには、右支持腕１３における長手側軸体が挿入される。
【００３９】
視度操作環状筒体１９は、両端を開口する筒体形状をなし、その一端開口部の周縁に鍔部１９Ａを備え、その鍔部１９Ａの、視度操作環状筒体１９の周側面側の環状部に櫛歯１９Ｂが形成される。視度操作環状筒体１９の周側面には、環状に一巡する櫛歯１９Ｃが形成される。視度操作環状筒体１９の他端開口部の端面には、端面凸部１９Ｅが形成される。
【００４０】
視度操作環状筒体１９の内周面であって、前記鍔部１９Ａ側の開口部には、軸方向に相対向して延在する一対の挟持片１９Ｄが、視度操作環状筒体１９の内部に向かって突出形成され、この一対の挟持片１９Ｄにより溝が形成される。この一対の挟持片１９Ｄにより形成された溝には、小リード環２２における係合凸部２２Ｄが挿入される。
【００４１】
転輪固定台１７は、上底部１７Ａと、側面部１７Ｂと、下面側が開口してなる開口部１７Ｃとを有する有底円筒形状に形成されてなる。上底部１７Ａには、四角挿通孔１７Ｄと、外周挿通孔１７Ｅと、扇形挿通孔１７Ｆとが形成されている。四角挿通孔１７Ｄは、左支持腕１２における長手側軸体を挿通して、挿通された左支持腕１２が軸線を中心にして回転するのを阻止する。
【００４２】
外周挿通孔１７Ｅは、四角挿通孔１７Ｄ側に外周に沿って所定の所定の長さに渡って開口し、前記四角挿通孔１７Ｄと共通する開口部を形成している。この外周挿通孔１７Ｅには、視度操作環状筒体１９における端面凸部１９Ｅが挿入され、視度操作環状筒体１９の回転を前記外周挿通孔１７Ｅの開口長さだけに規制するようになっている。扇形挿通孔１７Ｆは、右支持腕１３における長手軸体を挿通する。
【００４３】
上底部１７Ａの裏面には、４箇所の図示しない凹部が形成されている。これら４個の図示しない凹部には、回転止め環体２０における中央凸部２０Ｂが嵌め込まれることにより、この転輪固定台１７における上底部１７Ａの裏面に回転止め環体２０を一体に取り付けることができるようになっている。開口部１７Ｃ内周面には、中心軸に向かって軸方向に沿って延びる内周凸部１７Ｈが形成されている。
【００４４】
内周凸部１７Ｈは、中心軸Ｘに対して対称な２箇所に形成されている。これら２個の内周凸部１７Ｈは、この転輪固定台１７に視度操作環状筒体１９を装着したときに、この視度操作環状筒体１９における櫛歯１９Ｃに、噛みあうようになっていて、視度操作環状筒体１９が回転すると前記内周凸部１７Ｈが前記櫛歯１９Ｃの表面を乗り越えるようにして移動する。
【００４５】
なお、１６で示すのは、前記転輪固定台１７の外周に装着される視度目盛環である。視度目盛環１６の外周面には、目盛が形成されている。視度目盛環１６の外周面に目盛が形成されていることにより、後述する視度調節時に、視度調節の度合いを調節することができる。
【００４６】
この固定中心軸体１１における太径胴部１１Ｂと前記転輪固定環２７との間に、転輪２５、転輪パイプ２４、リード環２３、小リード環２２、転輪ワッシャ−２１、回転止め環体２０、視度操作環状筒体１９、及び転輪固定台１７を一体に結合した状態で、これらが転輪外枠１８に内装される。
【００４７】
転輪外枠１８は、上端および下端ともに開口した円筒形状を有する。転輪外枠１８の下端側内周面には、雌ネジ１８Ａが形成されている。転輪外枠１８の上端側内周面には、円周方向に沿って凸条１８Ｃが形成されている。凸条１８Ｃの側面には、下方に向かって櫛歯１８Ｄが形成されている。この櫛歯１８Ｄは、視度操作環状筒体１９における櫛歯１９Ｂと歯合可能に形成される。
【００４８】
前記転輪外枠１８の下端開口部には転輪結合環２８が装着される。
【００４９】
転輪結合環２８は、図２に示されるように、円盤状部材である。転輪結合環２８の上面部には、上方に向かって、環状に櫛歯２８Ａが形成されている。この櫛歯２８Ａは、転輪２５における櫛歯２５Ｅに、焦点調節時に噛合する。図３に示されるように、櫛歯２５Ｅに櫛歯２８Ａが焦点調節時に噛合することにより、転輪結合環２８の回動が転輪２５に伝達される。
【００５０】
図２に示されるように、転輪結合環２８の外周側面部には、周方向に雄ネジ２８Ｃが形成されている。雌ネジ１８Ａに雄ネジ２８Ｃが螺合することにより、転輪外枠１８と転輪結合環２８とが一体に固定される。
【００５１】
転輪結合環２８の中心部には、装着孔２８Ｂが開設され、この装着孔２８Ｂに転輪固定環２７が挿入される。この装着孔２８Ｂの内周面には、環状突起２８Ｅが形成される。
【００５２】
図２において、２９で示すのは転輪カバーである。転輪カバー２９は、円形の皿形状を有する。転輪カバー２９は、転輪結合環２８に固定される。３０で示すのは転輪操作環であり、転輪外枠１８の外周に装着される。転輪操作環３０の外周面には、滑り止め防止の凸部３０Ａが形成される。
【００５３】
まず、図２及び３を参照して、焦点視度調節ユニット５の焦点調節時の作用を説明する。すなわち、焦点調節手段８の作用を説明する。
【００５４】
図３の状態で、転輪操作環３０を回動させると、転輪操作環３０で一体に被覆された転輪外枠１８が回転し、この転輪外枠１８の回転により、転輪結合環２８における雄ネジ２８Ｃと転輪外枠１８における雌ネジ１８Ａとが歯合して転輪結合環２８と転輪外枠１８とが一体に結合しているので、転輪結合環２８が回動する。
【００５５】
一方、左支持腕１２における長手軸体が転輪固定台１７の四角挿通孔１７Ｄ及び回転止め環２０の四角切欠部２０Ｄに挿通されていることにより、左支持腕１２は中心軸Ｘの周囲を回転不能になっている。回転不能になっている左支持腕１２の第１係合部１２Ｂが挿入孔部２３Ｅに係合しているので、前記転輪２５が回動してもリード環２３は回転することができず、したがって、転輪２５の回転方向に応じてリード環２３が前進又は後進する。
【００５６】
リード環２３にその雄ネジ２３Ｈと雌ネジ２２Ｂとが歯合していることにより結合された小リード環２２は、回転することなく、リード環２３の前進又は後進に応じて前進又は後進する。
【００５７】
この小リード環２２の係合溝２２Ｃに第２係合部１３Ｂが係合しているので、小リード環２２の前進又は後進により、右支持腕１３が前進又は後進する。
【００５８】
リード環２３と小リード環２２とが回転不能の状態で前進又は後進するので、左支持腕１２及び右支持腕１３は同じ距離だけ光軸方向に沿って並進すなわち前進又は後進をする。
【００５９】
かくして、この実施形態においては、焦点調節手段８が、転輪外枠１８を回転させることにより回転する転輪結合環２８の回転により回転する転輪２５、転輪２５の回転により回転不能に規制されるとともに左支持腕１２を係合支持するリード環２３、及び前記リード環２３に装着されるとともに右支持腕１３を係合支持する小リード環２２により形成されているので、転輪外枠１８の回転により左支持腕１２および右支持腕１３を同じ距離だけ光軸に沿って前進又は後進させることにより焦点が調節される。
【００６０】
次に、図２および図４を参照して、焦点視度調節ユニット５の視度調節時の作用を説明する。すなわち、視度調節手段９および切替手段１０の作用を説明する。
【００６１】
まず、図２および図４に示されるように、転輪操作環３０を操作して転輪外枠１８を軸方向にスライドさせ、焦点調節手段８を視度調節手段９に切り替える。
【００６２】
さらに詳述すると、転輪外枠１８を軸方向にスライドさせると、転輪結合環２８が移動して環状突起２８Ｅが硬球２７Ｅを乗り越える。硬球２７Ｅはコイルバネ２７Ｄにより弾力的に付勢されているので、環状突起２８Ｅが硬球２７Ｅを乗り越える際には、硬球２７Ｅが周側面開設孔２７Ｃ内に埋め込まれるように動作する。そして環状突起２８Ｅは円滑に硬球２７Ｅを乗り越えることができる。
【００６３】
環状突起２８Ｅが硬球２７Ｅを通り過ぎると、硬球２７Ｅはコイルバネ２７Ｄの付勢力により周側面開設孔２７Ｃから突出するように元の位置に復帰する。硬球２７Ｅが元の位置に復帰することにより、環状突起２８Ｅは、突出する硬球２７Ｅが障害になって自由にもとの位置に戻ることができなくなる。そして、櫛歯２５Ｅと櫛歯２８Ａとの歯合状態が解除され、転輪外枠１８の回転が転輪２５に伝達されなくなる。
【００６４】
また、前記転輪外枠１８を軸方向にスライドさせると、櫛歯１８Ｄと櫛歯１９Ｂとが、噛合する。
【００６５】
図４の状態で、転輪操作環３０すなわち、転輪外枠１８を回動させると、転輪結合環２８が回動するが、転輪２５は回転しない。
【００６６】
一方、転輪外枠１８が回動することにより、視度操作環状筒体１９が回動する。視度操作環状筒体１９は、その挟持片１９Ｄが係合凸部２２Ｄを挟持しているので、視度操作環状筒体１９の回動により小リード環２２を回動させる。
【００６７】
リード環２３は、転輪固定台１７及び回転止め環体２０により回動不能に規制された左支持腕１２の第１係合部１２Ｂを係合することにより、回転不能に固定された状態になっているので、小リード環２２が回転すると、リード環２３の中心管体２３Ｂに沿って前進又は後進する。そうすると、小リード環２２が前進又は後進すると、小リード環２２の係合溝２２Ｃに第２係合部１３Ｂを係合する右支持腕１３が中心軸線Ｘに沿って前進又は後進する。左支持腕１２は、リード環２３が回転しないので、前進又は後進せずその位置で不動である。その結果、右支持腕１３の前進又は後進により、視度が調節されることになる。
【００６８】
かくして、この実施形態においては、視度調節手段９が、転輪外枠１８を回転させることにより回転する視度操作環状筒体１９、転輪外枠１８の回転に対して回転不能に規制されるとともに左支持腕１２を係合支持するリード環２３、及び前記視度操作環状筒体１９の回転により回転するように前記リード環２３に装着されるとともに右支持腕１３を係合支持する小リード環２２により形成されているので、転輪外枠１８の回転により左支持腕１２を回転させないようにして、右支持腕１３を所定距離だけ光軸に沿って前進又は後進させ、これによって視度が調節される。
【００６９】
また、この実施形態においては、焦点調節手段８と視度調節手段９との切替手段１０が、視度操作環状筒体１９の櫛歯１９Ｂに歯合する櫛歯１８Ｄを備えた転輪外枠１８と、この転輪外枠１８に結合されるとともに、転輪２５の櫛歯２５Ｅに歯合する櫛歯２８Ａを備えた転輪結合環２８とからなるので、転輪外枠１８を軸方向にスライドするだけで簡単に焦点調節手段８と視度調節手段９とを切り替えられる。
【００７０】
さらに、この発明に係る双眼鏡１においては、視度調節時に、右支持腕１３により構成される一方の支持体７Ａを、左支持腕１２により構成される他方の支持体７Ｂを固定したまま、光軸方向に直進移動させて視度調節を行うこととなる。したがって、視度調節に関係のない支持体７を一時的に固定するので、ピントズレを防止することができる。
【００７１】
なお、この発明は、前記実施形態に限定されるものではなく、この発明の目的を達成できる範囲での変形、改良は、この発明に含まれるものである。この発明を実施する際の具体的な構造および形状等は、この発明の目的を達成できる範囲内で他の構造等としてもよい。
【図面の簡単な説明】
【００７２】
【図１】図１は、この発明に係る双眼鏡の全体を示す平面図である。
【図２】図２は、この発明に係る双眼鏡の焦点視度調節ユニットの分解斜視図である。
【図３】図３は、この発明に係る双眼鏡の焦点視度調節ユニットの焦点調節時の概略図である。
【図４】図４は、この発明に係る双眼鏡の焦点視度調節ユニットの視度調節時の概略図である。
【符号の説明】
【００７３】
１    双眼鏡
２    双眼鏡筐体
２Ａ    鏡筒
３    接眼光学系
４    対物光学系
５    焦点視度調節ユニット
６    調節レンズ
７    支持体
７Ａ    一方の支持体
７Ｂ    他方の支持体
８    焦点調節手段
９    視度調節手段
１０    切替手段
１１    固定中心軸体
１１Ａ    雄ネジ
１１Ｂ    太径胴部
１２    左支持腕
１２Ａ    軸支持部
１２Ｂ    第１係合部
１３    右支持腕
１３Ａ    軸支持部
１３Ｂ    第２係合部
１４    結合ピン
１４Ａ    雄ネジ
１４Ｂ    結合部
１５    固定部
１５Ａ    円柱部
１５Ｂ    接続部
１６    視度目盛環
１７    転輪固定台
１７Ａ    上底部
１７Ｂ    側面部
１７Ｃ    開口部
１７Ｄ    四角挿通孔
１７Ｅ    外周挿通孔
１７Ｆ    扇形挿通孔
１７Ｈ    内周凸部
１８    転輪外枠
１８Ａ    雌ネジ
１８Ｃ    凸条
１８Ｄ    櫛歯
１９    視度操作環状筒体
１９Ａ    鍔部
１９Ｂ    櫛歯
１９Ｃ    櫛歯
１９Ｄ    挟持片
１９Ｅ    端面凸部
１９Ｆ    切り欠き部
２０    回転止め環体
２０Ａ    中心孔
２０Ｂ    中央凸部
２０Ｃ    扇形切欠部
２０Ｄ    四角切欠部
２１    転輪ワッシャ−
２２    小リード環
２２Ａ    中心軸孔
２２Ｂ    雌ネジ
２２Ｃ    係合溝
２２Ｄ    係合凸部
２３    リード環
２３Ａ    環状部
２３Ｂ    中心管体
２３Ｃ    円盤状鍔部
２３Ｄ    筒状体
２３Ｅ    挿入孔部
２３Ｆ    雄ネジ
２３Ｇ    中心孔
２３Ｈ    雄ネジ
２４    転輪パイプ
２４Ａ    管状部
２４Ｂ    鍔部
２５    転輪
２５Ａ    底部
２５Ｂ    筒体部
２５Ｃ    開口部
２５Ｄ    中心孔
２５Ｅ    櫛歯
２５Ｆ    鍔部
２５Ｇ    雌ネジ
２６    転輪固定座金
２６Ａ    中心孔
２７    転輪固定環
２７Ａ    中心ネジ穴
２７Ｂ    雌ネジ
２７Ｃ    周側面開設孔
２７Ｄ    コイルバネ
２７Ｅ    硬球
２８    転輪結合環
２８Ａ    櫛歯
２８Ｂ    装着孔
２８Ｃ    雄ネジ
２８Ｅ    環状突起
２９    転輪カバー
３０    転輪操作環
３０Ａ      凸部
【図１】
2006053381.tif 000003
【図２】
2006053381.tif 000004
【図３】
2006053381.tif 000005
【図４】
2006053381.tif 000006